(57)【要約】      （修正有）【課題】様々な長さやタイプのフォイル包装材料を高い加工率で成形することの出来る装置を提供する。【解決手段】スリーブ状のフォイル材料の連続的なフラットストリップを供給するための供給手段と、単一なスリーブ状のフォイル包装材料を得るために、スリーブ状の材料のストリップの幅全体に切り込みを作るための切断手段を備え、連続的なフラットストリップからスリーブ状のフォイル包装材料を成形のための装置に関し、切断手段がスリーブ状のフォイル材料のフラットストリップと関連して動作可能な切断要素を少なくとも２つ備え、各切断要素がストリップの幅の少なくとも一部に平行に延びる切断刃を少なくとも１つ備え、切断要素の各切断刃が連続した切断操作でスリーブ状のフォイル材料の幅全体に互いに隣接して部分的な切り込みを成形するように構成されている。【選択図】図１
2007283765.tif 000002
【特許請求の範囲】
【請求項１】
スリーブ状のフォイル材料の連続的なフラットストリップからスリーブ状のフォイル包装材料を形成するための装置であって、
スリーブ状のフォイル材料の連続的なフラットストリップを供給するための供給手段と、
単一のスリーブ状のフォイル包装材料を得るよう、スリーブ状のフォイル材料のこのストリップの幅全体に切り込みを作るための切断手段と、
該装置から単一のスリーブ状のフォイル包装材料を排出するための排出手段と、を備え、
切断手段が、スリーブ状のフォイル材料のフラットストリップに関連して動作可能な切断要素を少なくとも２つ備え、各切断要素が少なくともストリップの幅の一部に平行に延びる切断刃を少なくとも１つ備え、連続した切断操作で切断要素の単一な切断刃が互いに隣接するいくつかの部分的な切り込みをスリーブ状のフォイル材料のストリップ内にそれの幅全体に成形するように構成され、該装置は、スリーブ状のフォイル材料の連続的なストリップ上に少し離れた距離をあけて提供したマーキングを検出し、前記検出に基づく検出信号を送信するためのセンサーが少なくとも１つ備えられ、その検出信号に基づいて、切断手段がスリーブ状のフォイル材料のストリップ内の部分的な切り込みを成形することを特徴とする装置。
【請求項２】
制御手段が備えられ、該制御手段は、センサーによって送信される検出信号、成形されるスリーブ状のフォイル包装材料の指定された長さ、及びスリーブ状のフォイル材料のストリップの搬送スピードに基づいて切断手段を制御すること特徴とする請求項１に記載の装置。
【請求項３】
各種切断要素の切断刃は、互いに隣接して少なくとも一部が重なった関係で配置されている請求項１又は２に記載の装置。
【請求項４】
各切断要素は、１つの切断刃を備えていることを特徴とする請求項３に記載の装置。
【請求項５】
少なくとも１つの切断要素が少なくとも２つの切断刃を備えていることを特徴とする請求項３に記載の装置。
【請求項６】
切断要素は、スリーブ状のフォイル材料の連続的なフラットストリップの搬送方向で、スリーブ状のフォイル材料の連続的なフラットストリップに沿って別々に離れて配置されていることを特徴とする請求項１乃至５の何れか１項に記載の装置。
【請求項７】
切断要素は、スリーブ状のフォイル材料から離れてストリップの幅と平行している軸周りで回転可能であることを特徴とする請求項１乃至６の何れか１項に記載の装置。
【請求項８】
切断要素は、同一の回転速度で回転することを特徴とする請求項７に記載の装置。
【請求項９】
各切断要素の回転速度は、１回転の間に可変であることを特徴とする請求項７又は８に記載の装置。
【請求項１０】
各切断要素の回転速度は、部分的な切り込みが成形されるとき、ちょうどそのときに装置を通過するスリーブ状のフォイル材料のストリップの搬送スピードと実質的に同一である請求項７、８又は９に記載の装置。
【請求項１１】
搬送手段は、操作の間にスリーブ状のフォイル材料のストリップが導かれることができるガイド要素を備えていることを特徴とする請求項１乃至１０の何れか１項に記載の装置。
【請求項１２】
ガイド要素は、平らな部材として設定されることを特徴とする請求項１１に記載の装置。
【請求項１３】
ガイド要素は、スリーブ状のフォイル材料のストリップの搬送方向で切断手段を越えて延びていることを特徴とする請求項１１又は１２に記載の装置。
【請求項１４】
材料は、切断要素の切断刃が通過するスリーブ状のフォイル材料のストリップを切断する位置でガイド要素から除かれていることを特徴とする請求項１３に記載の装置。
【請求項１５】
装置は、フォイル材料のようなスリーブのストリップの搬送方向で、切断手段の下流位置に単一で平らなスリーブ状のフォイル包装材料を開くための拡開要素を備えていることを特徴とする請求項１乃至１４の何れか１項に記載の装置。
【請求項１６】
拡開要素は、少なくともフォイル材料のフラットストリップの平面と直角な平面内で拡大されることを特徴とする請求項１５に記載の装置。
【請求項１７】
拡開要素は、フォイル材料のフラットストリップの平面内で拡大される請求項１５又は１６に記載の装置。
【請求項１８】
拡開要素は、ガイド要素に実装可能であることを特徴とする請求項１５、１６又は１７に記載の装置。
【請求項１９】
排出手段は、成形された単一なスリーブ状のフォイル包装材料を該装置から排出するために拡開要素の近くに配置されることを特徴とする請求項１５乃至１８の何れか１項に記載の装置。
【発明の詳細な説明】
【技術分野】
【０００１】
本発明は、スリーブ状のフォイル材料の連続的なフラットストリップを供給するための供給手段と、単一のスリーブ状のフォイル包装材料を得るために、スリーブ状のフォイル材料のこのストリップの幅全体に切り込みを作るための切断手段と、装置から単一のスリーブ状のフォイル包装材料を排出するための排出手段とを備え、スリーブ状のフォイル材料の連続的なフラットストリップからスリーブ状のフォイル包装材料を形成するための装置に関する。
【背景技術】
【０００２】
そのような装置は、例えばヨーロッパ特許Ｎｏ．０８０５１１０公報で明らかにされる。スリーブ状のフォイル包装材料は、前記装置の一動作の切断によって実現され、単一で平らなスリーブ状のフォイル包装材料は、その後に開かれ、わずかなオーバーサイズでボトルまたは他のコンテナなどの対象物のまわりに配置されなければならない。フォイル材料は、そこに供給される熱の影響で縮む、いわゆる「シュリンク材料」で作られたものが使用され、周囲に配置されたフォイル包装材料がボトル又は他のコンテナの形にしっかりと従う。
【０００３】
前記出願において、フォイル包装材料は、予め連続的なストリップという形で作成されてロール状に巻かれ、上述の装置によって適正な長さに切断される必要がある。そのため、切断手段は、スリーブ状のフォイル材料のストリップが適正な長さに切断されるというような方法で、長さに対応して作動され、その後に、これによって成形された単一のスリーブ状のフォイル包装材料は、装置から排出されて開かれた後に本来知られている方法でコンテナのまわりに配置される。
【発明の開示】
【発明が解決しようとする課題】
【０００４】
現在知られている装置の欠点は、それが、高い加工率を実現するために、厚い又は硬いフォイル材料の使用に適しているだけであることである。薄い又はより柔軟なフォイル材料が使われる時に、処理速度は、不適当に装置が詰まることから防止するために低速にしなければならない。
【０００５】
本発明の目的は、これらの欠点を除去し、上述のように、様々な長さやタイプの多数のフォイル包装材料を高い加工率で成形することのできる装置を提供することにある。
【課題を解決するための手段】
【０００６】
本発明によると、該装置は、切断手段がスリーブ状のフォイル材料のフラットストリップに関連して動作可能な切断要素を少なくとも２つ備え、各切断要素は、ストリップの幅の少なくとも一部に平行に延びる切断刃を少なくとも１つ備え、連続する切断操作で切断要素の単一な切断刃が互いに隣接するいくつかの部分的な切り込みをスリーブ状のフォイル材料のストリップ内にその幅全体に成形することを特徴とする。
【０００７】
特により高スピードで回転する切断刃によってスリーブ状の又はチューブ状のフォイル材料を切断するときに頻繁に起こる問題は、フォイルエッジが切り口で密着するか、貼り付くことである。特に、切断刃がもう完全に鋭くない時に、シーリングは起こり、そして、薄いタイプのフォイルが使われる時に、それはより容易に起こる。この現象は、スリーブ状の材料のストリップ内の幅全体にいくつかの隣接した部分的な切り込みを成形することによって防止される。
【０００８】
さらに、これは、切断刃の寿命を延長し、ユーザーのためにより低コストを招くであろう。
【０００９】
スリーブ状の材料の連続的なストリップ内に周期的に切り込みを成形することにより、処理速度が増大することができ、その上、装置のどのようなジャミング又は詰まりも防止する。さらに、この構造は、いくつかの部分的な切り込みがフォイル材料内に連続的に成形され、それが薄いフォイル材料のユーザーを可能にする。
【００１０】
具体的な態様において、各種切断要素の切断刃は、互いに隣接して少なくとも一部が重なった関係で配置され、結果として、タイトな切り込みがストリップの幅全体に形成され、従って、単一のフォイル包装材料を実現することが可能になる。
【００１１】
一態様において、各切断要素は、１つの切断刃を備え、別の態様においては、少なくとも１つの切断要素が少なくとも２つの切断刃を備えている。
【００１２】
装置の設置スペースの効果的な利用を実現し、高い処理スピードを得るには、切断要素は、スリーブ状のフォイル材料の連続的なフラットストリップの搬送方向で、スリーブ状のフォイル材料の連続的なフラットストリップに沿って別々に離れて配置されていることである。
【００１３】
高い処理速度は、特に、発明に応じた装置の機能的な態様において、切断要素がスリーブ状のフォイル材料から離れてストリップの幅と平行している軸周りでそれぞれ回転可能であることで達成することができる。これは、簡単で、頑強な構造を実現することを可能にし、それはさらに、高い処理速度で装置が連続的な（そして信頼できる）態様で動作することを可能にする。
【００１４】
より具体的には、切断要素は、同一の回転速度で回転し、別の態様において、例えば、実現するフォイル包装材料、フォイル材料（厚さなど）のタイプなどの長さに対応することができるように、各切断要素の処理速度は、回転速度が一方の回転の間に変化されることができる。
【００１５】
フォイル材料のストリップ内の適正な位置で鋭い切り込みを作るために、各切断要素の回転速度は、部分的な切り込みが成形させるとき、ちょうどそのときに装置を通過するスリーブ状のフォイル材料のストリップの搬送スピードと実質的に同一である。
【００１６】
機能的な態様において、装置を通過するフォイル材料の連続的なストリップの故障のない通路を実現するために、拒絶又は静止は防止され得るが、とりわけ高い処理速度は実現することができ、搬送手段は、操作の間にスリーブ状のフォイル材料のストリップが導かれることができるガイド要素を備える。
【００１７】
その場合、ガイド要素は、平らなメンバ（部材）として設定され得る。
【００１８】
ガイド要素は、スリーブ状のフォイル材料のストリップの搬送方向で切断手段を越えて延び、フォイル材料の連続的なストリップは、不適当に装置に詰まりが生じることから防止される。
【００１９】
一方、装置内における他の可動パーツへのダメージを防止するために、材料は、切断要素の切断刃が通過するスリーブ状のフォイル材料のストリップを切断する位置でガイド要素から除かれている。
【００２０】
本発明によると、効果的な方法でコンテナ（缶、ジャー、ボトル）などの三次元の製品上で当初平らであったフォイル包装材料を配置するために、装置は、フォイル材料のようなスリーブのストリップの搬送方向で、切断手段の下流位置に単一で平らなスリーブ状のフォイル包装材料を開くための拡開要素を備えている。
【００２１】
製品上に当初平らであったフォイル包装材料を配置するために、前記拡開要素は、少なくともフォイル材料のフラットストリップの平面と直角な平面内で拡大する。別の態様において、拡開要素がフォイル材料のフラットストリップの平面内で拡大されるならば、製品上の包装材料の前記配置はさらに改善されることができる。
【００２２】
簡単な方法で本発明に応じた装置をリセットすることを可能にするために、拡開要素はガイド要素に実装可能とされ得る。
【００２３】
さらに、より効率的な配置を得るために、排出手段は、成形された単一なスリーブ状のフォイル包装材料を該装置から排出するために拡開要素の近くに配置され得る。
【００２４】
別の機能的な態様において、装置は、スリーブ状のフォイル材料の連続的なストリップ上に少し離れた距離をあけて提供したマーキングを検出し、前記検出に基づく検出信号を送信するためのセンサーが少なくとも１つ備えられ、その検出信号に基づいて、切断手段がスリーブ状のフォイル材料のストリップ内の部分的な切り込みを成形する。この方法において、特定の長さのスリーブ状のフォイル包装材料の多数を実現することは可能である。
【００２５】
より具体的には、制御手段が提供される場合、制御手段は、センサーよって送信される検出信号、成形されるスリーブ状のフォイル包装材料の指定された長さ、及びスリーブ状のフォイル材料のストリップの搬送スピードに基づいて切断手段を制御する。
【発明を実施するための最良の形態】
【００２６】
本発明は、図面を参照することによってより詳細に説明される。
【００２７】
本発明をより良好に理解のために、同様の部品は以下の図の説明において同一の数字によって示される。
【００２８】
図１において、数字１０は本発明に関する装置を示す。装置１０は、その間でフォイル材料１の連続的なストリップが搬送される得る駆動可能な２つのローラで構成される供給手段又は移動手段１２を備える。フォイル材料１の連続的なストリップは、供給リール１１に巻かれ、テンション機構１３を介して導入される。テンション機構１３は、固定構造１００とピボット接続されたアーム１３ａを備えている。ピボットアーム１３ａは、いくつかのローラ１３ｂを備え、スリーブ状のフォイル材料１の連続的なストリップがかけられる。スリーブ状のフォイル材料１のストリップは、固定配置された追加のローラ１３ｃにもかけられる。この方法において、一定の供給が可能であるがリール１１から巻きの解けたスリーブ状のフォイル材料の連続的なストリップの一定の張力を実現することは可能である。
【００２９】
図２が明確に示しているように、スリーブ状のフォイル材料の連続的なストリップは、例えば、シーリングシーム手段によって少なくとも１つの長手側に沿って側端が接続される２つのストリップ１ａ，１ｂでできている。
【００３０】
供給手段１２は、単一なスリーブ状のフォイル包装材料を得るように、予め定められた間隔をあけてフォイル材料を切断するための切断手段を通過するスリーブ状のフォイル材料１の連続的なストリップを搬送する。本発明によると、図に例示するように、切断手段は、２つのクランプセクション１４−１５で構成され、そのそれぞれは、スリーブ状のフォイル材料１のフラットストリップに関連して動作可能な切断要素１４−１５を備え、各切断要素１４−１５がフォイル材料のストリップの幅の少なくとも一部に少なくとも平行に延びる切断刃１４’；１５’−１５”を少なくとも１つ備えている。
【００３１】
本実施形態に係る切断要素１４−１５は、連続的なストリップの搬送方向でスリーブ状のフォイル材料１の連続的なストリップに沿って別々にいくらかの距離をあけて配置されている。図２及び図３において明確に示されるように、切断要素１４−１５は、スリーブ状のフォイル材料１のストリップの幅と平行なそれらの軸周りでそれぞれ回転可能である。
【００３２】
該装置を通過する（供給手段１２による）スリーブ状のフォイル材料１の連続的なストリップの搬送によって、２つの切断要素１４−１５は、そのような方法で駆動されるので、それらが連続した操作ステップでフォイル材料の連続したストリップ内に最終的に位置合わせされ、且つ互いに隣接した部分的な切り込みを成形し、これによって、単一なスリーブ状のフォイル包装材料を成形又は実現するために完全な切り込みを成形する。
【００３３】
また、装置を通過するスリーブ状のフォイル材料１の連続的なストリップの搬送スピードを考慮して、２つの別個の切断要素１４−１５による隣接した部分的な切り込みの成形は、切断要素の適正な調整または制御を要求する。
【００３４】
そのためには、装置は、フォイル材料１の連続的なストリップ内又はその上に存在するマーキング（図示しない）を検出するために配置されるセンサー１６と一体に提供される。前記マーキングは、特に等間隔に配置され、好ましくは、反射性のある又は反対に透過性のあるフォイル材料のストリップで作られたフォイル材料のストリップで構成される。両実施形態において、センサー１６は、反射したか送信された光に基づいて、フォイル材料１のストリップ上のマーキングの存在を検出する光センサーとして設定されることが可能で、搬送スピード、例えば連続した検出に基づいて装置を通過するフォイル材料１のストリップの搬送スピードを決定することが可能である。単一なスリーブ状のフォイル包装材料の要求される長さが与えられて、２つの切断要素１４−１５は、それに応じて回転できるように駆動される。
【００３５】
切断要素１４または１５の回転は、固定配置されたアンビル１４ａ−１５ａに対する隣接部に切断刃１４’または１５’−１５”を配置し、その結果として、それらの間で部分的な切り込みがフォイル材料１の連続的なストリップ内に形成される。
【００３６】
図３において、その切断要素１４は、シングル切断刃１４を１つ有するのに対し、第二の切断要素１５は、２つの切断刃１５’−１５”が提供されることが明確に示されている。切断刃１４’及び１５’−１５”は、それぞれ、切断刃１４’、１５’−１５”が互いに隣接し、好ましくは互いにわずかに重なった２つの切断要素１４−１５上に配置される。第一の操作において、第一の部分的な切り込みは、スリーブ状のフォイル材料のストリップ内に第一の切断要素１４の回転を通じて切断刃１４’によって成形され、そのストリップ１は、供給手段１２によって第二の切断要素１５の方向に移動される。
【００３７】
センサー１６によって制御装置２５（図２参照）に送信された検出信号に基づいて、第一の切断要素１４及び切断刃１４’は、フォイル材料１の連続的なストリップ内に第一の部分的な切り込みを成形する。ストリップ１は、供給手段１２によってさらに移動され、制御装置２５は、切断刃５０’−１５’’が第一の切断要素１４の切断刃１４によって成形された部分的な切り込みに隣接するような方法で第二の切断要素１５をコントロールする。
【００３８】
切断要素１４−１５の回転速度は、原則的に同一で、フォイル材料のストリップの搬送スピードと最終的なスリーブ状のフォイル包装材料の要求される長さとに対応し、本発明に関する装置は、各切断要素の回転速度を１回転の間に可変にすることによってより速いスピードで操作され得る。
【００３９】
さらに、異なる回転速度は、切断要素１４−１５のために採用され、各切断要素の回転速度は、よい品質で特に適正に隣接した（リード：一致した）切り込みを成形するために部分的な切り込みを成形するときに装置を通過するスリーブ状のフォイル材料１のストリップの搬送スピードと実質的に同一にされ得る。しかし、これは、特に採用されるフォイル材料の特性によって決定される。
【００４０】
従って、いくつかの部分的な切り込みは、２回の操作でスリーブ状のフォイル材料１の連続的なストリップ内に成形され、その部分的な切り込みは、完全な切り込みが成形されて単一のスリーブ状のフォイル包装材料が実現するように、２つの切断要素１４−１５が適切に制御される結果として互いに隣接している。
【００４１】
図３が明確に示しているように、切断要素１４−１５は、制御装置２５によってコントロールされる適当な駆動手段１４０−１５０で回転駆動される。各切断要素１４−０５は、軸受手段１４２−１５２によって装置内に軸支され、トランスミッション結合手段１４１−１５１によって駆動手段１４０−１５０と駆動可能に接続される。
【００４２】
装置内のフォイル材料１のストリップの不適当なジャミングまたは蓄積を防止するために、ガイド要素１７は、装置内に提供され、そのガイド要素１７上にスリーブ状のフォイル材料１のストリップはかけられることができる。図２において明確に示されるように、ガイド要素１７は、回転可能なローラ形状にされたサポート要素１７ａを備え、それは自由に回転可能なロールピン１８ａ−１８ｂでサポートされ、同様に装置の一部を形成する。従って、ガイド要素１７は、サポートローラ１８ａ−１８ｂによって装置内で自由にサポートされる。
【００４３】
ガイド要素は、スリーブ状のフォイル材料１のストリップの幅と実質的に等しい幅を有する平らな本体として好ましくは設定される。より具体的には、ガイド要素１７は、スリーブ状のフォイル材料１の連続的なストリップ内に部分的な切り込みを成形することを可能にするように切断要素１４及び１５の位置で該ガイド要素１７を構築する材料がガイド要素１７から除かれて構成されている。ガイド要素１７から材料が除かれている位置は、図２及び図３（第一の切断要素１４の切断刃１４’の位置）の１７’及び１７”（第二の切断要素１５の２つの切断刃１５’−１５”の位置）で示される。
【００４４】
ガイド要素１７ａの自由端１７ｂは、開かれたスリーブ状のフォイル包装材料をコンテナ（図示しない）まわりに配置するために、得られた平らなスリーブ状のフォイル包装材料を開くために機能する拡開要素１９に対応することに役立つ。
【００４５】
図１、図２及び図３にも明確に示されるように、拡開要素１９は、少なくともフォイル材料１の平らで連続的なストリップの平面と直角な平面内で拡大する。これは、図１及び図２内に示される。改善された実施形態において、一方では、図３に示す如く、拡開要素はまたフォイル材料のフラットストリップの平面内で拡大する。従って、コンテナ２まわりで容易に配置されることができるように、平らなスリーブ状のフォイル包装材料は開かれる。
【００４６】
これは、図１及び図３に示されており、装置１０に搬送されてその上に存在するいくつかのコンテナ（ボトル、ジャー又は缶）と共にキャリヤー２１ａを備えた搬送手段２１が示されている。それぞれ単一で平らなスリーブ状のフォイル包装材料は、拡開要素１９によって開かれ、その後に開かれたスリーブ状のフォイル包装材料１’はコンテナ２まわりに容易に配置されることができる。本出願人名においてヨーロッパ特許Ｎｏ．１１５１８４７公報内に説明されるいわゆる真空カップ２１ｂの使用は、スリーブ状のフォイル包装材料１’を開いているままにしておくことに寄与し得る。スリーブ状のフォイル包装材料が縮んでコンテナ２の形にしっかりと対応するように、開かれたスリーブ状のフォイル包装材料とともにそこに供給されたコンテナ２は、熱処理を受ける。
【００４７】
コンテナ２に向けて単一のフォイル包装材料１’の排出を容易にするために、排出手段２０ａ−２０ｂが提供され、それが拡開要素１９で装置に実装される。前記排出手段は、１つ以上の駆動可能なローラ２０ａを備え、それは固定状態のローラ２０ｂ上でサポートされ、言わばコンテナ２上で滑っている単一な開かれたフォイル包装材料１’による加速の割合で装置からその間に提供されたスリーブ状のフォイル材料１’を排出する。
【００４８】
図５ａ−５ｃは、切断手段１４−１５がさらに特殊な本発明に係る装置のさらなる実施形態の３つを示す。
【００４９】
サブ図５ａは、第一の切断要素１４がスリーブ状のフォイル材料の連続的なストリップに相対的におおよそ中央に対応する１つの切断刃１４’を備え、図２及び図３に言及されて議論されるような実施形態を示す。第一の切断要素１４の切断刃１４’は、第一の操作ステップにおいて第一の部分的な切り込みを成形し、その後、単一なスリーブ状のフォイル包装材料を得るために、スリーブ状のフォイル材料１の連続的なストリップが完全に切断されて通過するように、第二の切断要素１５は、２つの切断刃１５’−１５”の手段によってフォイル材料１内の中央に位置する部分的な切り込み両側に隣接した部分的な切り込みをさらに成形する。
【００５０】
サブ図５ｂは、サブ図５ａ内の第二の切断要素１５に類似し、２つの切断刃１４’−１４”を備えた第一の切断要素１４の別の実施形態を概略的に示す。第二の切断要素１５は、主としてフォイル材料１のストリップに対応して方向付けられた１つの切断刃を備える。この実施形態において、２つの部分的な切り込み１４’−１４”は、第一の操作で成形され、それはどのような場合にでもフォイル材料１のストリップの縦（長さ）のエッジを通って切断する。材料の切断は第二の切断要素１５の切断刃１５’の手段による部分的な切り込みによって完成される。
【００５１】
サブ図５ｃにおいて、各切断要素１４−１５は、スリーブ状のフォイル材料１の連続的なストリップの左にそして右にそれぞれ（または右にそして左にそれぞれ）配置される１つのシングル切断刃１４’−１５’を備えている。
【００５２】
サブ図５ａ−５ｃにおいてわずかに強調されて明確に示されるように、切断刃１４’−１４”−１５’−１５”は、互いに、そしてフォイル材料１の連続的なストリップと関連して装置内に配置され、従って、通過するフォイル材料の完全な切り込み（切断）を実現するために、部分的な切り込みが部分的にオーバーラップして成形される。
【図面の簡単な説明】
【００５３】
【図１】図１は、本発明に関する装置の一実施形態を示す。
【図２】図２は、図１の装置の詳細図を示す。
【図３】図３は、図１の装置の別の詳細図を示す。
【図４】図４は、図１の装置の別の詳細図を示す。
【図５】図５ａ−５ｃは、図１の装置の他実施形態の概略図を示す。
【図１】
2007283765.tif 000003
【図２】
2007283765.tif 000004
【図３】
2007283765.tif 000005
【図４】
2007283765.tif 000006
【図５】
2007283765.tif 000007
【外国語明細書】
2007283765.tif 000008
2007283765.tif 000009
2007283765.tif 000010
2007283765.tif 000011
2007283765.tif 000012
2007283765.tif 000013
2007283765.tif 000014
2007283765.tif 000015
2007283765.tif 000016
2007283765.tif 000017
2007283765.tif 000018
2007283765.tif 000019
2007283765.tif 000020
【ＦＩＧ１】
2007283765.tif 000021
【ＦＩＧ２】
2007283765.tif 000022
【ＦＩＧ３】
2007283765.tif 000023
【ＦＩＧ４】
2007283765.tif 000024
【ＦＩＧ５】
2007283765.tif 000025